(57)【要約】【課題】  本発明は、オンライン上で活動する第１ユーザがウェブサイトにおいて登録したレビューと関連した第２ユーザの評価スコア、第１ユーザおよび第２ユーザ関連情報、またはウェブサイトと関連した情報を収集して数値化し、第１ユーザの評判スコアを提供するレビュースコアリング方法およびシステムに関する。【解決手段】  本発明の一実施形態によるレビュースコアリング方法は、第１ユーザが所定のウェブサイトに登録したレビューに対する第2ユーザの評価スコアを受信して第２ユーザのユーザ評価スコアを算出し、前記ユーザ評価スコアを用いてコンテンツスコアを算出する段階と、前記第１ユーザの活動情報スコアを算出する段階と、前記コンテンツおよび前記活動情報スコアを用いて前記第１ユーザの評判スコアを算出し、前記算出された評判スコアをユーザ端末機に出力する段階とを含むことを特徴とする。【選択図】      図２
2007241983.tif 000002
【特許請求の範囲】
【請求項１】
第１ユーザが所定のウェブサイトに登録したリビューに対する第２ユーザの評価スコアを受信して第２ユーザのユーザ評価スコアを算出し、前記ユーザ評価スコアを用いてコンテンツスコアを算出する段階と、
前記第１ユーザの活動情報スコアを算出する段階と、
前記コンテンツスコアおよび前記活動情報スコアを用いて前記第１ユーザの評判スコアを算出し、前記算出された評判スコアをユーザ端末機に出力する段階と、
を含むことを特徴とするレビュースコアリング方法。
【請求項２】
前記レビューと関連したアイテムのカテゴリ別に前記評判スコアを算出する段階を更に含むことを特徴とする請求項１に記載のレビュースコアリング方法。
【請求項３】
前記レビューと関連したアイテムのカテゴリ別に前記評判スコアを算出する段階は、
前記カテゴリに含まれる複数のレビューのコンテンツスコアの幾何平均値および前記活動情報スコアを所定の比率で合算して前記カテゴリ別の評判スコアを算出する段階を更に含むことを特徴とする請求項２に記載のレビュースコアリング方法。
【請求項４】
前記コンテンツスコアまたは前記評判スコアを所定の時間周期で更新する段階を含むことを特徴とする請求項１に記載のレビュースコアリング方法。
【請求項５】
前記ユーザ評価スコアは、前記第２ユーザのログイン可否を反映して算出されることを特徴とする請求項１に記載のレビュースコアリング方法。
【請求項６】
前記ウェブサイトは複数であり、
前記第１ユーザの活動情報スコアは、前記第１ユーザが前記複数のウェブサイトに登録したユーザ識別子情報の統合登録可否または前記複数のウェブサイトに登録した前記ユーザ識別子情報の検証可否を反映して算出されることを特徴とする請求項１に記載のレビュースコアリング方法。
【請求項７】
前記第１ユーザが複数のウェブサイトに登録したユーザ識別子情報を統合登録する場合、前記複数のウェブサイトと関連した前記第１ユーザの評判スコアは、前記レビューと関連したアイテムのカテゴリ別に算出する段階を更に含むことを特徴とする請求項１に記載のレビュースコアリング方法。
【請求項８】
複数のウェブサイト別に加重値を割り当て、前記第１ユーザのレビューが登録された前記ウェブサイトの加重値を反映して前記第１ユーザの評判スコアを算出する段階を更に含むことを特徴とする請求項１に記載のレビュースコアリング方法。
【請求項９】
複数のウェブサイトにカテゴリ別の加重値を割り当てて所定の格納手段に記録および維持する段階と、
前記レビューが登録されたアイテムが含まれるカテゴリに該当する前記ウェブサイトのカテゴリ別加重値を読み取る段階と、
前記読み取られた前記ウェブサイトのカテゴリ別加重値を前記評判スコアに反映して算出する段階と、
を更に含むことを特徴とする請求項１に記載のレビュースコアリング方法。
【請求項１０】
前記ウェブサイトにおける前記レビューに対する推薦数、返答数、賛反投票数、照会数、スクラップ数の中の一つ以上を反映して前記コンテンツスコアを算出する段階を更に含むことを特徴とする請求項１に記載のレビュースコアリング方法。
【請求項１１】
前記レビューに対する返答を登録した第２ユーザの平均評判スコアを反映して前記コンテンツスコアを算出する段階を更に含むことを特徴とする請求項１に記載のレビュースコアリング方法。
【請求項１２】
前記第１ユーザの前記ウェブサイトにおける等級、レベル、ランキング、ベストリビュー選定可否、人気度、参与度、信頼度、知性度、関心度の中の一つ以上を反映して前記活動情報スコアを算出する段階を更に含むことを特徴とする請求項１に記載のレビュースコアリング方法。
【請求項１３】
第２ユーザの評価加重値を反映して前記ユーザ評判スコアが算出される段階を更に含み、
前記評価加重値は、前記第２ユーザの評判スコアによって決定されることを特徴とする請求項１に記載のレビュースコアリング方法。
【請求項１４】
レビュー検索キーワードを受信し、前記レビュー検索キーワードに対応する複数のレビューを検索する段階と、
前記レビューを登録した第１ユーザの評判スコアを判断し、前記評判スコアの順序に前記レビューを配列してレビュー検索結果を生成し、前記レビュー検索結果を前記ユーザ端末機に提供する段階と、
を更に含むことを特徴とする請求項１に記載のレビュースコアリング方法。
【請求項１５】
請求項１ないし１４のいずれか一項の方法を実行するためのプログラムが記録されていることを特徴とするコンピュータで読み取り可能な記録媒体。
【請求項１６】
第１ユーザが所定のウェブサイトに登録したレビューに対する第２ユーザの評価スコアを受信して第２ユーザのユーザ評価スコアを算出し、前記ユーザ評価スコアを用いてコンテンツスコアを算出するコンテンツスコア算出モジュールと、
前記第１ユーザの活動情報スコアを算出する活動情報スコア算出モジュールと、
前記コンテンツスコアおよび前記活動情報スコアを用いて前記第１ユーザの評判スコアを算出し、前記算出された評判スコアをユーザ端末機に出力する評判スコア提供モジュールと、
を含むことを特徴とするレビュースコアリングシステム。
【請求項１７】
前記評判スコア提供モジュールは、
前記レビューと関連したアイテムのカテゴリ別に前記評判スコアを算出することを特徴とする請求項１６に記載のレビュースコアリングシステム。
【請求項１８】
前記評判スコア提供モジュールは、
前記カテゴリに含まれる複数のレビューのコンテンツスコアの幾何平均値および前記活動情報スコアを所定の比率で合算して前記カテゴリ別の評判スコアを算出することを特徴とする請求項１７に記載のレビュースコアリングシステム。
【請求項１９】
前記コンテンツスコア算出モジュールは、
前記第２ユーザのログイン可否を反映して前記ユーザ評価スコアを算出することを特徴とする請求項１６に記載のレビュースコアリングシステム。
【請求項２０】
前記ウェブサイトは複数であり、
前記活動情報スコア算出モジュールは、
前記第１ユーザが前記複数のウェブサイトに登録したユーザ識別子情報の統合登録可否または前記複数のウェブサイトに登録した前記ユーザ識別子情報の検証可否を反映して前記第１ユーザの活動情報スコアを算出することを特徴とする請求項１６に記載のレビュースコアリングシステム。
【請求項２１】
前記評判スコア提供モジュールは、
前記第１ユーザが複数のウェブサイトに登録したユーザ識別子情報を統合登録する場合、前記レビューと関連したアイテムのカテゴリ別に前記第１ユーザの評判スコアを算出することを特徴とする請求項１６に記載のレビュースコアリングシステム。
【請求項２２】
前記評判スコア提供モジュールは、
レビュー検索キーワードを受信し、前記レビュー検索キーワードに対応する複数のレビューを検索し、前記レビューを登録した第１ユーザの評判スコアを判断し、前記評判スコアの順序に前記レビューを配列してレビュー検索結果を生成し、前記レビュー検索結果を前記ユーザ端末機に提供することを特徴とする請求項１６に記載のレビュースコアリングシステム。
【発明の詳細な説明】
【技術分野】
【０００１】
本発明は、オンライン上で活動する第１ユーザがウェブサイトで登録したレビューと関連した第２ユーザの評価スコア、第１ユーザおよび第２ユーザ関連情報、またはウェブサイトと関連した情報を収集して数値化し、第１ユーザの評判スコアを提供するレビュースコアリング方法およびシステムに関する。
【背景技術】
【０００２】
今日、インターネットの普遍的な普及によって、オンライン上で商品またはコンテンツを販売する業社が爆発的に増加している。しかし、ユーザがオンライン上で商品またはコンテンツを購入する時、実際に商品やコンテンツを経験することができない場合が多いため、実際に商品やコンテンツを購入したユーザのレビュー（Ｒｅｖｉｅｗ）を参考とする場合が増加している。
【０００３】
例えば、商品がデジタルカメラである場合、ユーザＡがデジタルカメラを購入し、使用した結果に基づいて自分だけの見解をレビューとして作成してウェブサイトに登録した場合、他のユーザは、ユーザＡの見解を参考としてデジタルカメラの購入可否を決定することができる。
【０００４】
しかし、このような商品またはコンテンツに対する見解は、ユーザごとに異なることがあるため、ユーザのレビューが客観的にどの程度の妥当性を有するかに対する判断が困難であるのが実情である。
【０００５】
例えば、オンラインサイトで商品を販売する業社において、特定ユーザを買収して自社の商品に対する嘘の情報をレビューとして登録したとしても、他のユーザは特定ユーザの買収可否を全く知ることができないため、商品に対する嘘の情報を信じて商品を購入するようになるという問題点がある。
【０００６】
特に、映画のようなメディアコンテンツ商品の場合、ユーザのレビューが他のユーザの映画選択に至大なる影響を与えるようになるが、映画制作者側において、一種の「アルバイト者」を雇用して特定映画に対するレビューを登録したとしても、他のユーザはレビューを登録した人がアルバイト者であるかを全く知ることができず、嘘の情報を信じて映画を選択するようになるという問題点がある。
【０００７】
従って、商品またはコンテンツに対するユーザのレビューを客観的に評価してレビューを作成したユーザに対する信用度を他のユーザに提供することで、商品またはコンテンツに対する正しい情報を提供することができるレビュースコアリング方法およびシステムの開発が切実に必要であるという実情にある。
【発明の開示】
【発明が解決しようとする課題】
【０００８】
本発明は、商品またはコンテンツに対するユーザのレビューを客観的に評価してレビューを作成したユーザに対する信用度を他のユーザに提供することで、他のユーザが商品またはコンテンツに対する正しい情報の提供を受けることができるようにするレビュースコアリング方法およびシステムを提供することを目的とする。
【０００９】
また、本発明は、ユーザのレビューに対して公正な判断を下す可能性が高いユーザの評価スコアを評判スコアに反映することができるレビュースコアリング方法およびシステムを提供することを別の目的とする。
【００１０】
また、本発明は、レビューに対する推薦数、返答数、投票数、照会数、スクラップ数などの客観的な情報を反映してレビューを作成した第１ユーザに対する評判スコアを算出することができるレビュースコアリング方法およびシステムを提供することを更に他の目的とする。
【００１１】
また、本発明は、複数のウェブサイトで使用する複数のユーザ識別子を統合したユーザまたはユーザ識別子を検証したユーザに評判スコアをより高く付与することで、より多くのウェブサイトで活動するユーザまたは本名が確認され、嘘の情報をレビューとして記載する可能性がないユーザの評判スコアを高く算出して提供することができるレビュースコアリング方法およびシステムを提供することを更に他の目的とする。
【００１２】
また、本発明は、統合されたＩＤを含み、複数のウェブページに登録されたレビュー数と評価参与度を反映して活動情報スコアを算出することで、複数のウェブサイトで活発な活動をしたユーザにより高い評判スコアを提供することができるレビュースコアリング方法およびシステムを提供することを更に別の目的とする。
【００１３】
また、本発明は、ウェブサイトの特性を考慮して複数のウェブサイト別に加重値を割り当て、前記第１ユーザのレビューが登録された前記ウェブサイトの加重値を反映して前記第１ユーザの評判スコアを提供することができるレビュースコアリング方法およびシステムを提供することを更に別の目的とする。
【００１４】
また、本発明は、複数のウェブサイトの特性を考慮してユーザの評判スコアを算出することで、信頼度が高い第１ユーザの評判スコアを算出することができるレビュースコアリング方法およびシステムを提供することを更に別の目的とする。
【００１５】
従って、本発明は、レビュー作成者の評判スコアによるレビュー検索結果をユーザに提供することで、ユーザにより正確で信頼性のあるレビュー検索結果を提供することができるレビュースコアリング方法およびシステムを提供することを更に別の目的とする。
【課題を解決するための手段】
【００１６】
前記の目的を達成し、上述した従来技術の問題点を解決するために、本発明の一実施形態によるレビュースコアリング方法は、第１ユーザが所定のウェブサイトに登録したレビューに対する第２ユーザの評価スコアを受信して第２ユーザのユーザ評価スコアを算出し、前記ユーザ評価スコアを用いてコンテンツスコアを算出する段階と、前記第１ユーザの活動情報スコアを算出する段階と、前記コンテンツスコアおよび前記活動情報スコアを用いて前記第１ユーザの評判スコアを算出し、前記算出された評判スコアをユーザ端末機に出力する段階とを含むことを特徴とする。
【００１７】
また、本発明の他の実施形態によるレビュースコアリングシステムは、第１ユーザが所定のウェブサイトに登録したレビューに対する第２ユーザの評価スコアを受信して第２ユーザのユーザ評価スコアを算出し、前記ユーザ評価スコアを用いてコンテンツスコアを算出するコンテンツスコア算出モジュールと、前記第１ユーザの活動情報スコアを算出する活動情報スコア算出モジュールと、前記コンテンツスコアおよび前記活動情報スコアを用いて前記第１ユーザの評判スコアを算出し、前記算出された評判スコアをユーザ端末機に出力する評判スコア提供モジュールとを含むことを特徴とする。
【発明の効果】
【００１８】
本発明は、商品またはコンテンツに対するユーザのレビューを客観的に評価してレビューを作成したユーザに対する信用度を他のユーザに提供することで、他のユーザが商品またはコンテンツに対する正しい情報を提供されるようにするという効果がある。
【００１９】
また、本発明は、ユーザのレビューに対して公正な判断を下す可能性が高いユーザの評価スコアを評判スコアに反映することができるという効果がある。
【００２０】
また、本発明は、レビューに対する推薦数、返答数、投票数、照会数、スクラップ数などの客観的な情報を反映してレビューを作成した第１ユーザに対する評判スコアを算出することができる。
【００２１】
また、本発明は、複数のウェブサイトで用いられる複数のユーザ識別子を統合したユーザまたはユーザ識別子を検証したユーザに評判スコアをより高く付与することで、より多くのウェブサイトで活動するユーザまたは本名を確認し、嘘の情報をレビューとして記載する可能性がないユーザの評判スコアを高く算出して提供することができるという効果がある。
【００２２】
また、本発明は、統合されたＩＤを含み、複数のウェブページに登録されたレビュー数と評価参与度を反映して活動情報スコアを算出することで、複数のウェブサイトで活発な活動をしたユーザにより高い評判スコアを提供することができる。
【００２３】
また、本発明は、ウェブサイトの特性を考慮して複数のウェブサイト別に加重値を割り当て、前記第１ユーザのレビューが登録された前記ウェブサイトの加重値を反映して前記第１ユーザの評判スコアを提供することができる。
【００２４】
また、本発明は、複数のウェブサイトの特性を考慮してユーザの評判スコアを算出するため、信頼度が高い第１ユーザの評判スコアを算出することができるという効果がある。
【００２５】
従って、本発明は、レビュー作成者の評判スコアによってレビュー検索結果をユーザに提供するため、ユーザにより正確で信頼性のあるレビュー検索結果を提供することができるという効果がある。
【発明を実施するための最良の形態】
【００２６】
以下、添付の図面を参照して、本発明によるレビュースコアリング方法およびシステムに対して詳しく説明する。
【００２７】
図１は、本発明の一実施形態によるレビュースコアリングシステムのネットワーク連結を示した図である。ユーザ端末機（１０１、１０２）は、有無線ネットワーク（１０３）を介してレビュースコアリングシステム（１０４）と連結される。
【００２８】
第１ユーザがユーザ端末機（１０１）を介して所定のウェブサイトに接続して特定アイテムに対するレビューを登録すると、第２ユーザがユーザ端末機（１０２）を介して前記レビューに対する評価スコアを入力し、レビュースコアリングシステム（１０４）は、レビューに対する第２ユーザの評価スコアを受信して第１ユーザの評判スコアを生成して提供する。
【００２９】
参考までに、本明細書で使用する用語「ユーザ端末機」とは、ＰＤＣ（Ｐｅｒｓｏｎａｌ  Ｄｉｇｉｔａｌ  Ｃｅｌｌｕｌａｒ）フォン、ＰＣＳ（Ｐｅｒｓｏｎａｌ  Ｃｏｍｍｕｎｉｃａｔｉｏｎ  Ｓｅｒｖｉｃｅ）フォン、ＰＨＳ（Ｐｅｒｓｏｎａｌ  Ｈａｎｄｙｐｈｏｎｅ  Ｓｙｓｔｅｍ）フォン、ＣＤＭＡ−２０００（１Ｘ、３Ｘ）フォン、ＷＣＤＭＡ（ＷＩＤｅｂａｎｄ  ＣＤＭＡ）フォン、デュアルバンド／デュアルモード（Ｄｕａｌ  Ｂａｎｄ／Ｄｕａｌ  Ｍｏｄｅ）フォン、ＧＳＭ（Ｇｌｏｂａｌ  Ｓｔａｎｄａｒｄ  ｆｏｒ  Ｍｏｂｉｌｅ）フォン、ＭＢＳ（Ｍｏｂｉｌｅ  Ｂｒｏａｄｂａｎｄ  Ｓｙｓｔｅｍ）フォン、ＤＭＢ（Ｄｉｇｉｔａｌ  Ｍｕｌｔｉｍｅｄｉａ  Ｂｒｏａｄｃａｓｔｉｎｇ）端末、スマート（Ｓｍａｒｔ）フォン、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）通信端末などのような通信機能が含まれる機器、ＰＤＡ（Ｐｅｒｓｏｎａｌ  Ｄｉｇｉｔａｌ  Ａｓｓｉｓｔａｎｔ）、ハンドヘルドＰＣ（Ｈａｎｄ−Ｈｅｌｄ  ＰＣ）、ノートブックコンピュータ、ラップトップコンピュータ、ワイブロ（ＷｉＢｒｏ）端末機、ＭＰ３プレーヤー、ＭＤプレーヤーなどのような形態端末機、そして、国際ローミング（Ｒｏａｍｉｎｇ）サービスと拡張された移動通信サービスを提供するＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎ−２０００）端末機などを含む全ての種類のハンドヘルド基盤の無線通信装置を意味する携帯用電気電子装置であって、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）モジュール、ＣＤＭＡ（Ｃｏｄｅ  Ｄｉｖｉｓｉｏｎ  Ｍｕｌｔｉｐｌｅｘｉｎｇ  Ａｃｃｅｓｓ）モジュール、ブルートゥース（Ｂｌｕｅｔｏｏｔｈ）モジュール、赤外線通信モジュール（Ｉｎｆｒａｒｅｄ  Ｄａｔａ  Ａｓｓｏｃｉａｔｉｏｎ）、有無線レンカードおよびＧＰＳ（Ｇｌｏｂａｌ  Ｐｏｓｉｔｉｏｎｉｎｇ  Ｓｙｓｔｅｍ）を介して位置追跡が可能となるようにＧＰＳチップが搭載された無線通信装置のような所定の通信モジュールを備え、マルチメディア再生機能を遂行することができるマイクロプロセッサを搭載することで、一定した演算動作を遂行することができる端末機を通称する概念として解釈される。
【００３０】
図２は、本発明の一実施形態によってユーザの評判スコアを提供する過程を示した流れ図である。図２を参照すると、本発明の一実施形態によって評判スコアを提供する過程は次の通りである。
【００３１】
段階（Ｓ２０１）で、第１ユーザは、特定アイテムに対するレビューを作成して所定のウェブサイトに登録する。本発明において、ユーザがレビューを作成する対象であるアイテムは、有形または無形の商品であったり、コンテンツなどのオンライン上で提供される全てのカテゴリに属する対象を含む。例えば、レビューは、映画鑑賞文、商品の使用後記、宿泊地の利用後記などであったりする。
【００３２】
また、本発明において、ウェブサイトは、ユーザのレビューが記載可能な全てのソースサイトを含み、複数であったりする。
【００３３】
段階（Ｓ２０２）で、第２ユーザは、前記ウェブサイトに接続して第１ユーザのレビューに対する評価スコアを入力し、レビュースコアリングシステムは、評価スコアを受信して第２ユーザのユーザ評価スコアを算出し、第２ユーザ評価スコアを用いてコンテンツスコアを算出する。
【００３４】
ユーザが入力した評価スコアは、所定の範囲内で最高点と最低点を有することができ、複数の第２ユーザは、第１ユーザの評価スコアを判断して自分が判断した点数を入力することができる。
【００３５】
一方、評判スコアが高いユーザは、信用度が高いユーザとして見なすことができ、評判スコアが高いユーザの評価スコアは、加重値を高めて用いることができる。
【００３６】
従って、本発明のレビュースコアリングシステムは、複数のユーザに対する評判スコアを所定の格納手段に記録および維持し、ユーザの評判スコアによって使用者別の評価加重値を設定して前記格納手段に記録および維持する。
【００３７】
レビュースコアリングシステムは、第２ユーザが入力した評価スコアに第２ユーザの評価加重値を反映して前記ユーザ評価スコアを算出する。この時、ユーザの評価スコアは次の通りである。
【００３８】
（１）第２ユーザのユーザ評価スコア＝（第２ユーザが入力した評価スコア）＊（第２ユーザの評価加重値）
【００３９】
しかし、ウェブサイトにログインした第２ユーザは、ログインしていない第２ユーザより公正な評価スコアを入力する可能性が高いため、前記評価スコアは、前記第２ユーザが前記ウェブサイトにログインして評価したのかに対する可否よって互いに異なる値を有することができる。
【００４０】
前記実施形態において、ログインした第２ユーザ「ＳＳ１００４」が入力した評価スコア「７０」点は評価スコアとしてそのまま設定し、ログインしていない第２ユーザ「ＬＬ１００４」の評価スコア「５０」点は、加重値０．０１を適用して「０．５」点のみを評価スコアとして設定する。
【００４１】
従って、本発明は、ユーザのレビューに対する公正な判断を下す可能性が高いユーザの評価スコアを評判スコアに反映することができるという効果がある。
【００４２】
次に、レビュースコアリングシステムは、前記第１ユーザのレビューに対する第２ユーザのユーザ評価スコアの幾何平均値を計算してコンテンツスコアを求める。
【００４３】
すなわち、ｎ人の第２ユーザのユーザ評価スコア（Ｕｓｅｒ  Ｅｖａｌｕａｔｉｏｎ  Ｓｃｏｒｅ，  ＵＥＳ）を用いて算出したコンテンツスコア（Ｃｏｎｔｅｎｔ  Ｓｃｏｒｅ，  ＣＳ）は次の通りである。
【００４４】
【数１】
2007241983.tif 000003
【００４５】
例えば、ウェブサイト「ＤＣインサイド」において、第１ユーザ「ＳＳＬＬ００」がデジタルカメラアイテムに対するレビューを登録した場合、これに対して第２ユーザ「ＳＳ１００４」が評価スコア「７０」点を入力し、第２ユーザ「ＬＬ１００４」が評価スコア「５０」点を入力することができる。
【００４６】
レビュースコアリングシステムは、第２ユーザのログイン可否によって評価加重値を適用してユーザ評価スコアを算出し、第２ユーザのユーザ評価スコアを幾何平均して前記アイテムに対するレビューのコンテンツスコアを算出する。
【００４７】
この時、レビュースコアリングシステムは、前記レビューに対する推薦数、返答数、賛反投票数、照会数、スクラップ数の中の一つ以上を反映して前記コンテンツスコアを算出することができる。前記レビューに対する推薦数、返答数、投票数、照会数、スクラップ数などの関連情報は、該当ウェブサイトをクローリング（ｃｒａｗｌｉｎｇ）して獲得することができる。
【００４８】
推薦数をコンテンツスコアに反映する場合、レビュースコアリングシステムは、前記レビューに対して推薦者が１人以上である場合、推薦者１人当り０．５点を追加してコンテンツスコアを算出する。
【００４９】
また、返答数の場合、返答が多いということは前記第１ユーザのレビューに対する第２ユーザの関心が高いことを意味するため、レビュースコアリングシステムは、返答の数をコンテンツスコアに反映することができる。
【００５０】
また、レビューに対する返答を登録した第２ユーザの平均評判スコアが高いと、これはレビューを登録した第１ユーザの信用度が高いことに対する間接的な証拠になるため、本発明のレビュースコアリングシステムは、返答登録した第２ユーザの評判スコアを反映して前記コンテンツスコアを算出することができる。
【００５１】
例えば、返答を作成した第２ユーザの平均評判スコアが５０点以上であると、第２ユーザの評判スコアと５０点との差値の１０％をコンテンツスコアに追加することができる。
【００５２】
また、照会数をコンテンツスコアに反映する場合、一例として、「２＊照会数／最大照会数」の値をコンテンツスコアに追加し、最大照会数を受けたレビューであっても、照会数によるコンテンツスコア増加分は２を超過しないようにしてコンテンツスコアに照会数を反映することができる。
【００５３】
また、上述したような方法で推薦数をコンテンツスコアに反映することができる。例えば、ユーザがレビューをスクラップして自分のホームページやブログなどに登録したスクラップ数を多様な方法でコンテンツスコアに反映する。
【００５４】
従って、本発明は、レビューに対する推薦数、返答数、投票数、照会数などの客観的な情報を反映してレビューを作成した第１ユーザに対する評判スコアを算出することができる。
【００５５】
次に、本発明のレビュースコアリングシステムは、同一カテゴリに含まれるｍ個のアイテムのコンテンツスコアを幾何平均して第１ユーザの評判スコアを算出する。
【００５６】
段階（Ｓ２０２）で、レビュースコアリングシステムは、前記第１ユーザの前記ウェブサイトにおける活動情報スコアを前記第１ユーザの評判スコアに反映して算出する。
【００５７】
活動情報スコアは、第１ユーザのレビューが作成されて登録されたウェブサイトから得ることができる情報、または前記第１ユーザが入力した活動情報などから算出するスコアである。
【００５８】
一例として、第１ユーザは、複数のウェブサイトで互いに異なるユーザ識別子を用いて活動することができる。このような場合、第１ユーザが複数のユーザ識別子を統合して登録することができ、第１ユーザが統合登録する場合、活動情報スコアを高い値で設定することができる。
【００５９】
例えば、第１ユーザは、ウェブサイト「ＤＣインサイド」で登録したユーザ識別子」ＳＳＬＬ００」とウェブサイト「オークション」で登録したユーザ識別子「ＳＬ００」をレビュースコアリングシステムが提供するウェブサイトで統合登録することができ、レビュースコアリングシステムは、前記第１ユーザがウェブサイトを追加するたびに活動情報スコアを追加して設定する。
【００６０】
また、実施形態によって、本発明は、ユーザが複数のウェブサイトに登録したユーザ識別子情報の検証可否によって活動情報スコアを算出することができる。
【００６１】
例えば、第１ユーザが複数のウェブサイトに登録したユーザ識別子情報を検証するために住民登録番号および本名を入力した場合、レビュー提供システムは本名を確認し、活動情報スコアを追加付与することができる。
【００６２】
従って、本発明は、複数のウェブサイトで用いられる複数のユーザ識別子を統合したユーザまたはユーザ識別子を検証したユーザに評判スコアをより高く付与することで、より多くのウェブサイトで活動するユーザまたは本名を確認し、嘘の情報をレビューとして記載する可能性がないユーザの評判スコアを高く算出して提供することができるという効果がある。
【００６３】
また、実施形態によって、本発明のレビュースコアリングシステムは、統合されたＩＤを含み、複数のウェブページに登録されたレビュー数と評価参与度を反映して活動情報スコアを算出することで、複数のウェブサイトで活発な活動をしたユーザにより高い評判スコアを提供することができる。
【００６４】
実施形態によって、評価参与度は、前記ウェブサイトにおける第１ユーザの等級、レベル、ランキング、ベストレビュー選定可否、人気度、参与度、信頼度、知性度、関心度の中の１つ以上である。
【００６５】
段階（Ｓ２０４）で、レビュースコアリングシステムは、前記コンテンツスコアおよび前記活動情報スコアを用いて第１ユーザの評判スコアを算出し、第１ユーザの評判スコアをユーザ端末機に出力する。
【００６６】
例えば、同一カテゴリに含まれるｍ個のアイテムに対するコンテンツスコアの幾何平均値を９０％、第１ユーザの活動情報スコアを１０％で反映して合算することで、第１ユーザの評判スコアを算出することができる。
【００６７】
従って、本発明は、第２ユーザが入力した評価スコアおよびレビューを作成した第１ユーザの活動情報を同時に考慮して第１ユーザの評判スコアを算出することで、レビューに対する他のユーザの評価にだけ絶対的に依存せずに評判スコアを算出することができるという効果がある。
【００６８】
また、本発明は、カテゴリ別の評判スコアを算出することで、より正確な評判スコアを算出することができるという効果がある。すなわち、第１ユーザは、コンピュータ機器に対しては専門家であるが、映画などのメディアコンテンツに関しては素人である場合、本発明は、レビューを登録したアイテムのカテゴリ別に評判スコアを算出することで、他のユーザにより正確な第１ユーザの評判スコアを提供することができるという効果がある。
【００６９】
図３は、本発明によってレビューを登録したアイテムのカテゴリ別評判スコアを提供する一実施形態を示した図である。図３を参照すると、ユーザ識別子「ＳＳＬＬ００」に対応するユーザは、「コンピュータ機器」カテゴリに該当するアイテムに対する評判スコアは８５と高いが、「メディアコンテンツ」カテゴリに該当するアイテムに対する評判スコアは５５と低い。
【００７０】
この時、第１ユーザが複数のウェブサイトに登録したユーザ識別子情報を統合登録する場合にも、前記第１ユーザの評判スコアは、前記レビューと関連したアイテムのカテゴリ別に算出される。
【００７１】
すなわち、評判スコアリングシステムは、第１ユーザの評判スコアを算出する時、ウェブサイト「ＤＣインサイド」においては、ユーザ識別子「ＳＳＬＬ００」で登録されたリビューに対する評判スコアをカテゴリ別に算出し、ウェブサイト「オークション」においては、ユーザ識別子「ＳＬ００」で登録されたレビューに対する評判スコアをカテゴリ別に算出し、それぞれ算出された評判スコアを用いて最終評判スコアを算出することができる。
【００７２】
しかし、この時、複数のウェブサイトは、それぞれ多様な特性を有しており、特化されたアイテムのカテゴリが異なることがある。すなわち、ウェブサイト「ＤＣインサイド」では、デジタルカメラ以外のコンピュータ機器に対して専門家が多くのレビューを登録する反面、ウェブサイト「オークション」においては、コンピュータ機器に対する専門家のレビューの登録が少ない場合がある。
【００７３】
従って、本発明は、このようなウェブサイトの特性を考慮して複数のウェブサイト別に加重値を割り当て、前記第１ユーザのレビューが登録された前記ウェブサイトの加重値を反映して前記第１ユーザの評判スコアを算出することができる。
【００７４】
例えば、レビュースコアリングシステムは、複数のウェブサイトにカテゴリ別加重値を割り当てて所定の格納手段に記録および維持する。
【００７５】
図４は、本発明によって複数のウェブサイトに加重値を割り当てた実施形態を示した図である。図４を参照すると、本発明のレビュースコアリングシステムは、アイテムのカテゴリ（４０１）別ウェブサイト（４０２）加重値（４０３）を記録する格納手段に記録および維持することができる。
【００７６】
複数のウェブサイトに対する加重値は、それぞれのウェブサイトのリンク順位の平均など、一般的に得ることができる数値と該当分野の専門家の分析点数などを考慮して設定される。
【００７７】
レビュースコアリングシステムは、前記レビューが登録されたアイテムが含まれるカテゴリに該当する前記ウェブサイトのカテゴリ別加重値を読み取り、前記読み取られた前記ウェブサイトのカテゴリ別加重値を各ウェブサイトで算出した評判スコアに適用して前記最終評判スコアを算出する。
【００７８】
すなわち、コンピュータ機器に対する第１ユーザの評判スコアを算出する時、ウェブサイト「ＤＣインサイド」で算出された評判スコア「４０」には加重値「１０」を適用し、ウェブサイト「オークション」で算出された評判スコア「４０」には加重値「２」を適用し、それぞれ算出された評判スコアを幾何平均して最終評判スコアを算出することができる。
【００７９】
従って、本発明は、複数のウェブサイトの特性を考慮してユーザの評判スコアを算出することで、信頼度が高い評判スコアを算出することができるという効果がある。
【００８０】
本発明のレビュースコアリングシステムは、第１ユーザの評判スコアを第１ユーザが作成してウェブサイトに登録したレビューと共に出力したり、ユーザ端末機を介して前記ウェブサイトに接続したユーザが第１ユーザの評判スコアビューを選択する場合、前記ユーザ端末機に出力したり、検索結果に含んで出力したり、電子メールなどで提供することができる。また、ウィッシュリスト（ｗｉｓｈ  ｌｉｓｔ）に登録したユーザに別途で提供することもできる。
【００８１】
特に、本発明は、ユーザがレビュー検索キーワードを入力する場合、これを受信してレビュー検索キーワードに対応するレビュー検索結果を提供することができる。図６は、ユーザからレビュー検索キーワードを受信してレビュー検索結果を提供する実施形態を示した図である
【００８２】
図６を参照すると、本発明のレビュースコアリングシステムは、ウェブページに含まれた別途の検索ウィンドウを介して入力されたレビュー検索キーワードを受信する。例えば、ユーザが映画「血の涙」に対するレビューを検索したい場合、ユーザは「血の涙」を検索ウィンドウ（６０１）に入力する。
【００８３】
ユーザがユーザ端末機で検索を選択すると、レビュースコアリングシステムは、レビュー検索キーワードを受信して前記レビュー検索キーワードに対応する複数のレビューを検索する。前記レビューは、複数のウェブサイトに登録されていることがあり、レビュースコアリングシステムは、複数のウェブサイトに登録されたレビューをクローリングする。
【００８４】
次に、レビュースコアリングシステムは、前記レビューを登録した第１ユーザのユーザ識別子を判断して前記第１ユーザのユーザ識別子に対応する評判スコアを判断し、前記評判スコアの順序に前記レビューを配列してレビュー検索結果を生成し、前記レビュー検索結果を前記ユーザ端末機に提供する。
【００８５】
例えば、レビューを登録した第１ユーザの評判スコアを判断した結果、ユーザ識別子「ｌｅｍｏｎｊｅｌ」に該当するユーザが最も高い評判スコアを有している場合、前記ユーザのレビュー（６０２、６０３）をレビュー検索結果の最上段に配置する。次に、ユーザ識別子「ｍｏｏｏｉｉ」に該当するユーザが次に高い評判スコアを有している場合、ユーザ識別子「ｍｏｏｏｉｉ」に該当するユーザのレビュー（６０４、６０５）を次の順序に配置してレビュー検索結果を生成して提供することができる。
【００８６】
この時、レビュー検索結果において、ユーザが前記レビューを作成した第１ユーザの評判スコアを見たい場合、ユーザ識別子（６０２、６０４）を選択入力すると、該当ユーザの評判スコアを出力することができる。
【００８７】
また、レビュー検索結果において、ユーザがレビュー原文を見たい場合、レビュー題目（６０３、６０５）を選択入力すると、レビューが登録されたウェブサイトを出力してユーザがレビュー原文を見ることができるようにする。
【００８８】
従って、本発明は、レビュー作成者の評判スコアによるレビュー検索結果をユーザに提供することで、ユーザにより正確で信頼性のあるレビューを提供することができるという効果がある。
【００８９】
すなわち、従来技術によると、ユーザがレビューを検索するためには、まず、探したいコンテンツを検索しなければならず、コンテンツを選択入力した画面でのみレビューを参照することができた。また、レビューがある程度の信頼性を有する作成者によって作成されたレビューであるかを全く知ることができなかった。しかし、本発明は、レビュー作成者の評判スコアをスコアリングし、これを参照してレビュー検索結果を提供するため、信頼性のあるユーザのレビューを優先的に提供し、検索者が余計な時間浪費をしないようにする。
【００９０】
また、前記コンテンツスコアまたは前記評判スコアは、時間の流れによって変化することがあるため、所定の時間周期で更新して提供することができる。
【００９１】
従って、本発明は、商品またはコンテンツに対するユーザのレビューを客観的に評価してレビューを作成したユーザに対する信用度を他のユーザに提供することで、商品またはコンテンツに対する正しい情報を提供することができる。
【００９２】
本発明によるレビュースコアリング方法は、多様なコンピュータ手段を介して遂行されるプログラム命令形態で具現され、コンピュータ読み取り可能な媒体に記録される。前記コンピュータ読み取り可能な媒体は、プログラム命令、データファイル、データ構造などを単独または組み合わせて含むことができる。前記媒体に記録されるプログラム命令は、本発明のために特別に設計されて構成されたものであったり、コンピュータソフトウェア当業者に公知されて使用可能なものであったりする。コンピュータ読み取り可能な記録媒体の例としては、ハードディスク、フレキシブルディスクおよび磁気テープのような磁気媒体（ｍａｇｎｅｔｉｃ  ｍｅｄｉａ）、ＣＤ−ＲＯＭ、ＤＶＤのような光記録媒体（ｏｐｔｉｃａｌ  ｍｅｄｉａ）、フロプティカルディスク（ｆｌｏｐｔｉｃａｌ  ｄｉｓｋ）のような磁気−光媒体（ｍａｇｎｅｔｏ−ｏｐｔｉｃａｌ  ｍｅｄｉａ）、およびロム（ＲＯＭ）、ラム（ＲＡＭ）、フラッシュメモリのようなプログラム命令を格納して遂行するように特別に構成されたハードウェア装置が含まれる。前記媒体は、プログラム命令、データ構造などを格納する信号を送信する搬送波を含む光または金属線、導波管などの送信媒体であることもある。プログラム命令の例としては、コンパイラによって生成されるもののような機械語コードだけでなく、インタプリタなどを用いてコンピュータによって実行される高級言語コードを含む。前記されたハードウェア装置は、本発明の動作を遂行するために一つ以上のソフトウェアモジュールとして作動するように構成され、その逆も同様である。
【００９３】
図５は、本発明の一実施形態によるレビュースコアリングシステムの構成を示したブロック図である。図５を参照すると、本発明の一実施形態によるレビュースコアリングシステムは、コンテンツスコア算出モジュール（５０１）と、活動情報スコア算出モジュール（５０２）と、評判スコア提供モジュール（５０３）を含んで構成される。
【００９４】
コンテンツスコア算出モジュール（５０１）は、第１ユーザが所定のウェブサイトに登録したレビューに対する第２ユーザの評価スコアを受信して第２ユーザのユーザ評価スコアを算出し、前記ユーザ評価スコアを用いてコンテンツスコアを算出する。
【００９５】
前記コンテンツスコア算出モジュールは、前記第２ユーザのログイン可否を反映して前記ユーザ評価スコアを算出することができる。
【００９６】
活動情報スコア算出モジュール（５０２）は、前記第１ユーザの活動情報スコアを算出する。この時、前記ウェブサイトは複数であり、前記活動情報スコア算出モジュールは、前記第１ユーザが前記複数のウェブサイトに登録したユーザ識別子情報の統合登録可否または前記複数のウェブサイトに登録した前記ユーザ識別子情報の検証可否を反映して前記第１ユーザの活動情報スコアを算出することができる。
【００９７】
評判スコア提供モジュール（５０３）は、前記コンテンツスコアおよび前記活動情報スコアを用いて前記第１ユーザの評判スコアを算出し、前記算出された評判スコアをユーザ端末機に出力する。
【００９８】
前記評判スコア提供モジュールは、前記レビューと関連したアイテムのカテゴリ別に前記評判スコアを算出することができる。
【００９９】
また、前記評判スコア提供モジュールは、前記カテゴリに含まれる複数のレビューのコンテンツスコアの幾何平均値および前記活動情報スコアを所定の比率で合算して前記カテゴリ別評判スコアを算出することができる。
【０１００】
また、前記評判スコア提供モジュールは、前記第１ユーザが複数のウェブサイトに登録したユーザ識別子情報を統合登録する場合、前記レビューと関連したアイテムのカテゴリ別に前記第１ユーザの評判スコアを算出することができる。
【０１０１】
また、前記評判スコア提供モジュールは、レビュー検索キーワードを受信し、前記レビュー検索キーワードに対応する複数のレビューを検索し、前記レビューを登録した第１ユーザの評判スコアを判断し、前記評判スコアの順序に前記レビューを配列してレビュー検索結果を生成し、前記レビュー検索結果を前記ユーザ端末機に提供することができることは、図６を参照して既に説明した通りである。
【０１０２】
これまで、本発明によるレビュースコアリングシステムに対して説明したが、前記した実施形態において説明した技術的内容が図５のレビュースコアリングシステムにおいてもそのまま適用されるため、その詳細な説明は以下省略することにする。
【０１０３】
以上のように、本発明は、限定された実施形態と図面によって説明されたが、本発明は、前記の実施形態に限定されるものでなく、本発明が属する分野において通常の知識を有する者にとっては、このような記載から多様な修正および変形が可能である。よって、本発明思想は、添付の特許請求の範囲によってのみ把握されなければならず、この均等または等価的変形すべては、本発明思想の範疇に属するであろう。
【図面の簡単な説明】
【０１０４】
【図１】本発明の一実施形態によるレビュースコアリングシステムのネットワーク連結を示した図である。
【図２】本発明の一実施形態によってユーザの評判スコアを提供する過程を示した流れ図である。
【図３】本発明によってレビューを登録したアイテムのカテゴリ別の評判スコアを提供する一実施形態を示した図である。
【図４】本発明によって複数のウェブサイトに加重値を割り当てた実施形態を示した図である。
【図５】本発明の一実施形態によるレビュースコアリングシステムの構成を示したブロック図である。
【図６】ユーザからレビュー検索キーワードを受信してレビュー検索結果を提供する実施形態を示した図である。
【符号の説明】
【０１０５】
５０１  コンテンツスコア算出モジュール
５０２  活動情報スコア算出モジュール
５０３  評判スコア提供モジュール
【図１】
2007241983.tif 000004
【図２】
2007241983.tif 000005
【図３】
2007241983.tif 000006
【図４】
2007241983.tif 000007
【図５】
2007241983.tif 000008
【図６】
2007241983.tif 000009